(57)【要約】【課題】  駆動モータの運転時に発生する振動が洗濯機のタブへ伝達されることを防止する洗濯機のモータマウンティングメカニズムを提供する。【解決手段】  タブ２００の外面に位置するモータと、モータの一部４１０を貫通した後、タブ２００に固定されてモータをタブ２００に結合させる締結部材６００と、モータと締結部材６００の間に備えられ、締結部材６００がモータに直接接触することを防止して、モータの振動が締結部材６００を介してタブ２００へ伝達されることを防止する絶縁部材５００とを含むことを特徴とする洗濯機のモータマウンティングメカニズムである。【選択図】      図３
2006231025.tif 000002
【特許請求の範囲】
【請求項１】
タブの外面に位置するモータと、
前記モータの一部を貫通した後、前記タブに固定されて前記モータを前記タブに結合させる締結部材と、
前記モータと前記締結部材の間に備えられ、前記締結部材が前記モータに直接接触することを防止して、前記モータの振動が前記締結部材を介して前記タブへ伝達されることを防止する絶縁部材とを含むことを特徴とする洗濯機のモータマウンティングメカニズム。
【請求項２】
前記絶縁部材は、
前記締結部材のヘッドと、前記タブの間に備えられて前記締結部材を支持するスペーサと、
前記スペーサと、前記モータの間に備えられて前記モータの振動を吸収するブッシングとを含むことを特徴とする請求項１に記載の洗濯機のモータマウンティングメカニズム。
【請求項３】
前記スペーサは硬質材料製であることを特徴とする請求項２に記載の洗濯機のモータマウンティングメカニズム。
【請求項４】
前記ブッシングは弾性材質のゴムであることを特徴とする請求項２に記載の洗濯機のモータマウンティングメカニズム。
【請求項５】
前記スペーサは、前記締結部材のヘッドを前記モータから離間させることを特徴とする請求項２に記載の洗濯機のモータマウンティングメカニズム。
【請求項６】
前記スペーサは、前記締結部材を前記ブッシングから離隔させることを特徴とする請求項２に記載の洗濯機のモータマウンティングメカニズム。
【請求項７】
前記スペーサは、前記ブッシング内に押し込みによって嵌め込まれることを特徴とする請求項２に記載の洗濯機のモータマウンティングメカニズム。
【請求項８】
前記ブッシングは、前記モータのホールに押し込みによって嵌めこまれることを特徴とする請求項２に記載の洗濯機のモータマウンティングメカニズム。
【請求項９】
前記ブッシングは、外周面から半径方向に沿って延長され、前記締結部材が貫通するモータのホールの内面に密着される少なくとも一つの拡張部を含むことを特徴とする請求項２に記載の洗濯機のモータマウンティングメカニズム。
【請求項１０】
前記拡張部は、前記ブッシングの上部と下部にそれぞれ備えられることを特徴とする請求項９に記載の洗濯機のモータマウンティングメカニズム。
【請求項１１】
前記スペーサは、外面から半径方向に沿って突出したフランジを含み、前記ブッシングは、その内部に備えられて前記フランジを支持する凹部を含むことを特徴とする請求項２に記載の洗濯機のモータマウンティングメカニズム。
【請求項１２】
前記フランジは、前記タブと接触するように前記スペーサの一端に備えられ、前記締結部材の力を分散させることを特徴とする請求項１１に記載の洗濯機のモータマウンティングメカニズム。
【請求項１３】
ケースと、
前記ケース内に備えられ、外面に備えられた少なくとも一つの第１ホールを有するタブと、
前記タブ内に回転可能に備えられたドラムと、
前記タブの外面に位置し、前記第１ホールに対応する第２ホールを有するステータと、
前記タブを貫通する駆動軸によって前記ドラムと連結され、前記ステータに電源が印加された時、前記駆動軸を介してドラムを回転させるロータと、
前記第２ホールを貫通した後、前記第１ホールに嵌めこまれて前記ステータを前記タブに固定させる締結部材と、
前記第２ホールの内面と前記締結部材の間に備えられ、前記締結部材が前記ステータに直接接触することを防止して、前記ステータの振動が前記締結部材を介して前記タブへ伝達されることを防止する絶縁部材と、を含むことを特徴とする洗濯機。
【請求項１４】
前記絶縁部材は、
前記第２ホールに備えられ、前記締結部材を支持する硬質材料製のスペーサと、
前記スペーサの外面と、前記第２ホールの内面の間に備えられ、前記モータの振動を吸収する軟質材料製のブッシングとを含むことを特徴とする請求項１３に記載の洗濯機。
【請求項１５】
前記スペーサは、前記締結部材を前記ブッシングと前記ステータから離間させることを特徴とする請求項１４に記載の洗濯機。
【請求項１６】
前記スペーサは、前記ブッシング内に押し込みによって嵌め込まれ、前記ブッシングは第２ホールに押し込みによって嵌めこまれることを特徴とする請求項１４に記載の洗濯機。
【請求項１７】
前記ブッシングは、その上部と下部でそれぞれ半径方向に沿って延長され、前記第２ホールの内面に密着される拡張部を含むことを特徴とする請求項１４に記載の洗濯機。
【請求項１８】
前記スペーサは、外面から半径方向に沿って突出したフランジを含み、前記ブッシングは、その内面に備えられて前記フランジを支持する凹部を含むことを特徴とする請求項１４に記載の洗濯機。
【請求項１９】
前記フランジは、前記タブと接触するように前記スペーサの一端に備えられ、前記締結部材の力を分散させることを特徴とする請求項１８に記載の洗濯機。
【請求項２０】
ケースと、
前記ケース内に備えられたタブと、
前記タブ内に回転可能に備えられたドラムと、
前記タブの外面に位置し、前記タブを貫通する駆動軸を介して前記ドラムを駆動するモータと、
前記モータの一部を貫通した後、前記タブに結合され前記モータを前記タブに固定する締結部材と、
前記締結部材のヘッドと前記タブの間に備えられ、前記締結部材を支持し、前記締結部材を前記モータから離間させるスペーサと、
前記スペーサと前記モータの間に備えられ、前記モータの振動が前記締結部材を介して前記タブへ伝達されることを防止するブッシングと、を含むことを特徴とする洗濯機。
【発明の詳細な説明】
【技術分野】
【０００１】
本発明は洗濯機のモータマウンティングメカニズムとこれを用いた洗濯機に関し、特に洗濯機のタブ（洗濯槽又は脱水槽）にドラムを駆動するモータを装着する洗濯機のモータメカニズムとこれを用いた洗濯機に関するものである。
【背景技術】
【０００２】
洗濯機は、洗剤と水を用いて洗濯物を洗濯する代表的な家電製品である。このような洗濯機は、洗濯物を投入する位置によって、トップローディング方式とフロントローティング方式とに分けられる。
【０００３】
トップローディング方式の洗濯機は、一般的に、垂直に立てられて洗濯物を収容するタブ、このタブ内で回転しながら洗濯物を洗濯するパルセータ、及び洗濯機の上面に備えられてタブを開閉する蓋とを含んで構成されている。
【０００４】
トップローディング方式の洗濯機は、パルセータを左右に回転させて生じる水流と洗濯物の間の摩擦力を用いて洗濯を行い、洗濯時間が短く大容量化が可能であり、安価であるという長所がある。
反面、パルセータが備えられたトップローティング方式の洗濯機は、洗濯物の絡み合い現象が生じ、洗濯物の損傷の程度が相対的に高いという短所がある。
【０００５】
フロントローディング方式の洗濯機は、一般的に、水平に配置されて洗濯物を収容するドラム及びタブ、ドラムの内面に備えられて、ドラムの回転時に洗濯物を持ち上げた後に落下させる多数のリフタと、洗濯機の前面に備えられ、ドラムを開閉するドアとを含んで構成されている。
【０００６】
かかるフロントローディング方式の洗濯機は、ドラムの内部に水と洗剤、及び洗濯物を入れてドラムを低速回転させて洗濯を行うので、洗濯物の損傷が少なく、水の使用量も少なく、洗濯物の絡み合い現象が生じない。
【０００７】
前述のトップローディング方式、又はフロントローディング方式の洗濯機には、パルセータ又はドラムを駆動するための駆動モータが備えられる。駆動モータの動力は、以前はベルトなどの動力伝達部材によってパルセータ又はドラムへ間接的に伝達されていたが、最近は、技術の発達に伴い、パルセータ又はドラムへ直接伝達されている。
【発明の開示】
【発明が解決しようとする課題】
【０００８】
しかしながら、このように駆動モータの動力をパルセータ又はドラムへ直接伝達するメカニズムを有した洗濯機においては、駆動モータは、一般的に締結部材によってタブの外面に装着され、駆動モータの軸は、タブを貫通した後にパルセータ又はドラムに連結されるように設けられる。したがって、駆動モータの運転時に発生した振動は、一般的に締結部材を介してタブに間接的に伝達されるか、或いはタブへ直接に伝達され、これによってタブの変形及び疲労破損、そして騒音が発生するという問題があった。
【０００９】
本発明は上記の問題点を解決するためのもので、その目的は、駆動モータの運転時に発生する振動が洗濯機のタブへ伝達されることを防止することにある。
【課題を解決するための手段】
【００１０】
上記目的を達成するための本発明の一形態では、タブの外面に位置するモータと、モータの一部を貫通した後、タブに固定されてモータをタブに結合させる締結部材と、モータと締結部材の間に備えられ、締結部材がモータに直接接触することを防止して、モータの振動が締結部材を介してタブへ伝達されることを防止する絶縁部材とを含む洗濯機のモータマウンティングメカニズムが提供される。
【００１１】
絶縁部材は、締結部材のヘッドと、タブの間に備えられて締結部材を支持するスペーサと、スペーサと、モータの間に備えられてモータの振動を吸収するブッシングとを含む。ここで、スペーサは硬質材料からなり、ブッシングは弾性材質のゴムであることを特徴とする。
【００１２】
スペーサは、締結部材のヘッドをモータから離隔させ、締結部材をブッシングから離隔させることができる。
【００１３】
スペーサは、ブッシング内に押し込みによって嵌め込まれ、ブッシングは、モータのホールに押込によって嵌め込まれることを特徴とする。
【００１４】
ブッシングは、外周面から半径方向に沿って延長され、締結部材が貫通するモータのホールの内面に密着される少なくとも一つの拡張部を含むことを特徴とする。この場合、拡張部は、ブッシングの上部と下部にそれぞれ備えられる。
【００１５】
スペーサは、外面から半径方向に沿って突出したフランジを含み、ブッシングは、その内部に備えられてフランジを支持する凹部を含むことを特徴とする。この場合、フランジは、タブと接触するようにスペーサの一端に備えられ、締結部材の力を分散させるができる。
【００１６】
上記目的を達成するための本発明の他の一形態では、ケースと、ケース内に備えられ、外面に備えられた少なくとも一つの第１ホールを有するタブと、タブ内に回転可能に備えられたドラムと、タブの外面に位置し、第１ホールに対応する第２ホールを有するステータと、タブを貫通する駆動軸によってドラムと連結され、ステータに電源が印加された時、駆動軸を介してドラムを回転させるロータと、第２ホールを貫通した後、第１ホールに嵌めこまれてステータをタブに固定させる締結部材と、第２ホールの内面と締結部材の間に備えられ、締結部材がステータに直接接触することを防止して、ステータの振動が締結部材を介してタブへ伝達されることを防止する絶縁部材とを含む洗濯機が提供される。
【００１７】
絶縁部材は、第２ホールに備えられ、締結部材を支持する硬質材料製のスペーサと、スペーサの外面と、第２ホールの内面の間に備えられ、モータの振動を吸収する軟質材料製のブッシングとを含むことを特徴とする。
【００１８】
スペーサは、締結部材をブッシングとステータから離隔させる。また、スペーサは、ブッシング内に押し込みによって嵌め込まれ、ブッシングは第２ホールに押し込みによって嵌めこまれることを特徴とする。
【００１９】
ブッシングは、その上部と下部でそれぞれ半径方向に沿って延長され、第２ホールの内面に密着される拡張部を含むことを特徴とする。
【００２０】
スペーサは、外面から半径方向に沿って突出したフランジを含み、ブッシングは、その内面に備えられてフランジを支持する凹部を含むことを特徴とする。
【００２１】
フランジは、タブと接触するようにスペーサの一端に備えられ、締結部材の力を分散させることを特徴とする。
【００２２】
上記目的を達成するための本発明の他の一形態では、ケースと、ケース内に備えられたタブと、タブ内に回転可能に備えられたドラムと、タブの外面に位置し、タブを貫通する駆動軸を介してドラムを駆動するモータと、モータの一部を貫通した後、タブに結合されてモータをタブに固定する締結部材と、締結部材のヘッドとタブの間の備えられ、締結部材を支持し、締結部材をモータから離隔させるスペーサと、スペーサとモータの間に備えられ、モータの振動が締結部材を介してタブへ伝達されることを防止するブッシングとを含む洗濯機が提供される。
【発明の効果】
【００２３】
本発明によれば、駆動モータのステータには絶縁部材が装着され、締結部材は絶縁部材を介してステータを洗濯機のタブに固定させる。そして、締結部材はステータが締結部材に接触することを防止する。したがって、駆動モータの作動時に発生するステータの振動は絶縁部材によって吸入され、これによって振動が締結部材を介して間接的にタブへ伝達されたり、タブへ直接伝達されることが効果的に防止される。
【００２４】
これにより、タブの変形及び疲労破損、そしてステータの破損を防止することができ、駆動モータの作動時に発生する騒音も効果的に減らすことができる。さらに、締結部材はステータに直接接触せず、絶縁部材のスペーサによって支持されるので、過度な締結力によってステータが破損することを防止することができる。
【発明を実施するための最良の形態】
【００２５】
以下、本発明の好適な実施の形態について、添付の図面に基づいて詳細に説明する。
【００２６】
図１は本発明に係る洗濯機の内部構造を示す断面図である。図１には、ケース内に設置され、洗濯水を収容するタブと、このタブ内に回転可能に設置され、洗濯物を収容するドラムとが水平方向に設けられたフロントローディング方式のドラム洗濯機が例示的に示されている。しかし、本発明は、図１に示したフロントローディング方式のドラム洗濯機のみに限られず、タブとドラムが垂直方向に設けられたトップローディング方式のパルセータ洗濯機などにも同様に適用されることができる。
【００２７】
以下では図１に示したフロントローディング方式のドラム洗濯機を例に挙げて本発明をより詳細に説明する。
【００２８】
図１を参照すると、洗濯機のケース１００の前面には、洗濯物の出し入れのための入口が備えられ、この入口は、ケース１００の前面にヒンジ結合されたドア１５０によって開閉される。ドア１５０は、ドアフレーム１５１と、このドアフレーム１５１の中央に形成されたホールに装着されたドアガラス１５５とを含んでなる。したがって、ユーザは、ドアガラス１５５を介して洗濯機の内部、より詳細には後述するドラム３００の内部を見ることができる。
【００２９】
さらに、ケース１００の前面の上部には、ユーザが洗濯機を操作するためのコントロールパネル１４０が装着される。
【００３０】
ケース１００の内部には、その内部に洗濯水を収容するタブ２００が備えられる。
タブ２００は、図１に示したように、多数のスプリング１１０とダンパ１２０によってケース１００内に取り付けられる。スプリング１１０とダンパ１２０は、タブ２００を支持するばかりでなく、洗濯機の駆動時に発生するタブ２００の振動を減衰させる。
【００３１】
タブ２００とケース１００の入口の間にはガスケット１３０が設置される。ガスケット１３０は、タブ２００内にある洗濯水と洗濯物がタブ２００の外部に抜け出て、ケース１００の内部の空間に入ることを防止する。そして、タブ２００の上面には、図示してはいないが、タブ２００内に洗濯水を供給する給水ホースが接続される。さらに、タブ２００の下面にはドレイン２１０が備えられ、ドレイン２１０にはタブ２００内の洗濯水をドレイン２１０を介して外部にポンピングする排水ポンプ１６０が接続される。
【００３２】
タブ２００の内部の空間にはドラム３００が回転可能に設置される。ドラム３００の周縁には、図示してはいないが、複数の通水孔が形成される。したがって、タブ２００内に貯蔵された洗濯水は、通水孔を介してドラム３００の内部の空間に出入できる。そして、ドラム３００の内周面には複数のリフタ３１０が突出する。
【００３３】
リフタ３１０は、ドラム３００の回転時に洗濯物を上側に持ち上げた後に落下させる。タブ２００の外面、より詳細には後面には、ドラム３００を駆動するモータ４００が装着される。モータ４００は、例えば、ステータ４１０、４２０、そして駆動軸４３０を有したブラシレスＤＣモータからなり、モータ４００の一部を貫通する締結部材６００によってタブ２００の後面に装着される。ここで、締結部材６００とモータ４００の間には本発明に係る絶縁部材５００が備えられる。
【００３４】
絶縁部材５００は、モータ４００が締結部材６００とタブ２００に直接接触することを防止することにより、モータ４００の振動が締結部材６００を介してタブ２００へ間接的或いは直接的に伝達されることを防止する。
【００３５】
以下では、本発明に係るモータマウンティングメカニズムについて図１乃至図６（Ａ）を参照にしてより詳細に説明する。
【００３６】
モータ４００のステータ４１０は、図２に示したように、タブ２００の外面、例えば後面に配置される。タブ２００の後面には少なくとも一つの第１ホール２２０（図３参照）が形成され、ステータ４１０には第１ホール２２０に対応する第２ホール４１１が形成される。
【００３７】
第２ホール４１１には絶縁部材５００が挿入され、締結部材６００は、絶縁部材５００を貫通した後にタブ２００の第１ホール２２０に挿入される。このように、ステータ４１０は、締結部材６００と絶縁部材５００によってタブ２００の後面に固定される。ここで、締結部材６００は絶縁部材５００と接触するが、ステータ４１０とは接触しない。これにより、モータ４００の作動時に発生するステータ４１０の振動は、締結部材６００を介してタブ２００へ直接伝達されない。
【００３８】
上述したように、モータ４００の振動が締結部材６００を介してタブ２００へ伝達されることを防止する本発明に係る絶縁部材５００は、例えば、図３乃至図５に示したように、スペーサ５１０とブッシング５２０を含んでなる。スペーサ５１０とブッシング５２０は円筒型の形状を有し、ブッシング５２０の内周面にスペーサ５１０が嵌めこまれる。
【００３９】
より詳細には、ブッシング５２０は弾性を有するゴム材質からなり、ステータ４１０の第２ホール４１１に押し込みによって嵌め込まれて固定される。ブッシング５２０の外周面にはブッシング５２０の半径方向に沿って延長された少なくとも一つの拡張部５２５が備えられる。拡張部５２５は、ブッシング５２０がモータ４００の第２ホール４１１に押し込まれた時に、第２ホール４１１の内面に弾力的に密着されることにより、ブッシング５２０が第２ホール４１１から抜け出ることを防止する。
【００４０】
拡張部５２５は、例えば、図４に示したように、ブッシング５２０の上部と下部にそれぞれ備えられ、これにより、ブッシング５２０の上端と下端は第２ホール４１１にそれぞれ安定的に固定される。拡張部５２５の間にあるブッシング５２０の中間部分は拡張部５２５より外径が小さいので、ブッシング５２０が第２ホール４１１に押入される時に摩擦力を減らし、これによってブッシング５２０が第２ホール４１１内に容易に設置される。
【００４１】
締結部材６００が貫通する円筒型のスペーサ５１０は、金属又は合成樹脂などの硬質材料からなり、弾性を有するブッシング５２０の内周面に押圧されて固定される。スペーサ５１０の上端は締結部材６００のヘッド、例えばボルトのヘッドを支持し、スペーサ５１０の下端はタブ２００によって支持される。したがって、スペーサ５１０は、図６に示したように、締結部材６００のヘッドとタブ２００の間で締結部材６００を支持しながらモータ４００をタブ２００に固定させる締結部材６００の締結力に対抗する。
【００４２】
スペーサ５１０は、図３に示したように、ブッシング５２０より長く、このため締結部材６００のヘッドはブッシング５２０から離間される。さらに、スペーサ５１０は、ステータ４１０の第２ホール４１１より長く、このため締結部材６００のヘッドはステータ４１０から離れ、ステータ４１０もタブ２００から離間される。
【００４３】
即ち、スペーサ５１０は、締結部材６００をブッシング５２０とモータ４００のステータ４１０から離間させ、さらにモータ４００のステータ４１０をタブ２００から離間させる。したがって、モータ４００の振動は弾性のあるブッシング５２０にのみ伝達され、ブッシング５２０がスペーサ５１０とモータ４００の間で振動を吸収するので、モータ４００の振動は従来とは異なってタブ２００へ伝達されない。
【００４４】
スペーサ５１０の外面にはその半径方向に沿って突出したフランジが備えられ、ブッシング５２０の内面にはフランジ５１１を支える凹部５２１が備えられる。
フランジ５１１と凹部５２１は、ブッシング５２０内に押し込まれたスペーサ５１０がブッシング５２０の長さ方向に沿って滑ることを防止する。フランジ５１１はスペーサ５１０の外周面の何れの所に備えられても良い。
【００４５】
参考までに、図３乃至図６（Ｂ）には、フランジ５１１がスペーサ５１０の下端に備えられた例が示されている。この例の場合、フランジ５１１はタブ２００と接触し、これによってタブ２００に作用する締結部材６００の締結力を分散させる。
【００４６】
一方、スペーサ５１０の中央は、駆動軸４３０が貫通できるように空いており、タブ２００の後面には駆動軸４３０を支持するベアリング２６０及びベアリングハウジング２５０が備えられる。
【００４７】
そして、駆動軸４３０の一端は、ステータ４１０とタブ２００を貫通した後、ドラム３００の後面に結合される。さらに、駆動軸４３０の他端は、図１に示したように、ステータ４１０を取り囲むロータ４２０に固定される。
【００４８】
動作について説明すると、ステータ４１０に電源が印加されると、ロータ４２０が回転し、これによって駆動軸４３０はドラム３００を回転させる。ロータ４２０が回転する時、ステータ４１０は、ロータ４２０の回転方向と反対方向に反発力を受け、これによってステータ４１０が振動する。ステータ４１０の振動は、図６（Ｂ）に示したように横方向に作用したり、図示してはいないが、上下方向にも作用する。
【００４９】
ステータ４１０の振動が横方向に作用する場合、振動はスペーサ５１０とステータ４１０の間に備えられた弾性を有するブッシング５２０へ伝達される。ブッシング５２０は伝達された振動を吸収し、これによって振動は締結部材６００を介してタブ２００へ伝達されない。
【００５０】
ステータ４１０の振動が上下方向に作用する場合、ブッシング５２０が振動を減衰させる。さらに、スペーサ５１０がステータ４１０をタブ２００及び締結部材６００のヘッドから離間させたため、ステータ４１０は上下振動時にタブ２００と締結部材６００のヘッドにぶつかることがない。したがって、ステータ４１０の上下振動は締結部材６００を介してタブ２００へ間接的或いは直接的に伝達されない。
【００５１】
上述した実施例の他にも本発明がその趣旨と請求範囲から外れることなく、他の様々な形態で具体化され得るという事実は当該技術に通常の知識を有する者には自明なことであろう。
したがって、上記の実施例は制限的なものではなく、例示的なものと見なされ、よって本発明は上述した詳細な説明に限定されず、添付の請求の範囲及びその同等範囲内で変更可能である。
【図面の簡単な説明】
【００５２】
【図１】本発明に係る洗濯機を示す断面図である。
【図２】モータのステータが取り付けられたタブの後面を示す背面図である。
【図３】図２のΙ−Ι線における断面図である。
【図４】図３のブッシングを示す斜視図である。
【図５】図３のスペーサを示す斜視図である。
【図６】（Ａ）は締結部材がタブに締結された時スペーサに作用する力を示す図であり、（Ｂ）はモータのステータが横方向に振動する時、ブッシングとスペーサに作用する力を示す図である。
【符号の説明】
【００５３】
２００    タブ
４００    モータ
５００    絶縁部材
５１０    スペーサ
５１１    フランジ
５２０    ブッシング
５２１    凹部
５２５    拡張部
６００    締結部材
【図１】
2006231025.tif 000003
【図２】
2006231025.tif 000004
【図３】
2006231025.tif 000005
【図４】
2006231025.tif 000006
【図５】
2006231025.tif 000007
【図６】
2006231025.tif 000008